(57)【要約】【課題】  接続作業を確実簡単に行なうこと。【解決手段】  プリント配線基板２に所定間隔をおいて並設した複数の回路パターン１３にフレキシブルフラットケーブル５Ａの複数の端子５ａを半田付け１６するようにしたフレキシブルフラットケーブル接続装置であって、前記各回路パターン１３に接近してプリント配線基板２に位置決め孔１７が貫設され、該位置決め孔１７に係脱可能な係合片１８がフレキシブルフラットケーブル５Ａの端部近傍に固着されており、該係合片１８を位置決め孔１７に係合させることよりフレキシブルフラットケーブル５Ａの各端子５ａをプリント配線基板２の各回路パターン１３に接近状態で対向させ、該各端子５ａを各回路パターン１３に半田付け１６する。【選択図】        図４
2009093932.tif 000002
【特許請求の範囲】
【請求項１】
プリント配線基板に所定間隔をおいて並設した複数の回路パターンにフレキシブルフラ
ットケーブルの複数の端子を半田付けするようにしたフレキシブルフラットケーブル接続
装置であって、前記各回路パターンに接近してプリント基板に位置決め孔が貫設され、該
位置決め孔に係脱可能な係合片がフレキシブルフラットケーブルの端部近傍に固着されて
おり、該係合片を位置決め孔に係合させることよりフレキシブルフラットケーブルの各端
子をプリント配線基板の各回路パターンに接近状態で対向させ、該各端子を各回路パター
ンに半田付けすることを特徴とするフレキシブルフラットケーブル接続装置。
【請求項２】
前記位置決め孔がフレキシブルフラットケーブルの配線方向とは直交する横断方向に沿
って横長矩形状に形成され、前記係合片が、係合片本体と、該係合片本体からフレキシブ
ルフラットケーブルの配線方向に沿って突出する爪部とにより側面視略Ｌ字状に形成され
、該係合片の横幅が位置決め孔の横幅と同一またはわずかに小さく設定されており、その
係合片を位置決め孔に嵌入させて爪部を該位置決め孔の爪部対向エッジ部に係合させるこ
とにより、フレキシブルフラットケーブルの各端子をプリント配線基板の各回路パターン
に接近状態で対向させ、該各端子を各回路パターンに半田付けすることを特徴とする請求
項１に記載のフレキシブルフラットケーブル接続装置。
【請求項３】
前記係合片の横幅をフレキシブルフラットケーブルの横幅よりも大きく設定することに
より、該係合片の両端部がフレキシブルフラットケーブルの両側縁よりも外方に突出され
ていることを特徴とする請求項２に記載のフレキシブルフラットケーブル接続装置。
【請求項４】
前記位置決め孔の爪部対向エッジ部の中央に凹部が形成されると共に、該凹部の奥端縁
が爪部対向エッジ部と平行に形成され、係合片の横幅が凹部の横幅と同一またはわずかに
小さく設定された小幅状フレキシブルフラットケーブルを有しており、係合片を位置決め
孔から凹部内に嵌入させて爪部を該凹部の奥端縁に係合させることにより、小幅状フレキ
シブルフラットケーブルの各端子をプリント配線基板の各回路パターンに接近状態で対向
させ、該各端子を各回路パターンに半田付けすることを特徴とする請求項３に記載のフレ
キシブルフラットケーブル接続装置。
【請求項５】
プリント配線基板に所定間隔をおいて並設した複数の回路パターンにフレキシブルフラ
ットケーブルの複数の端子を半田付けするようにしたフレキシブルフラットケーブル接続
装置であって、前記各回路パターンに接近してプリント基板にフレキシブルフラットケー
ブルの配線方向とは直交する横断方向に沿って横長矩形状の位置決め孔が貫設され、該位
置決め孔の爪部対向エッジ部の中央に凹部が形成されると共に、該凹部の奥端縁が爪部対
向エッジ部と平行に形成され、前記位置決め孔の横幅と同一またたわずかに小さい横幅の
係合片を端部近傍に固着した大幅状フレキシブルフラットケーブルを有すると共に、前記
凹部の横幅と同一またはわずかに小さい横幅の係合片を端部近傍に固着した小幅状フレキ
シブルフラットケーブルを有し、前記各係合片が係合片本体と該係合片本体からフレキシ
ブルフラットケーブルの配線方向に沿って突出する爪部とにより側面視略Ｌ字状に形成さ
れ、前記各係合片の横幅を各フレキシブルフラットケーブルの横幅よりも大きく設定する
ことにより、該各係合片の両端部が各フレキシブルフラットケーブルの両側縁よりも外方
に突出されており、大幅状フレキシブルフラットケーブルの係合片を位置決め孔に嵌入さ
せて爪部を該位置決め孔の爪部対向エッジ部に係合させ、また、小幅状フレキシブルフラ
ットケーブルの係合片を位置決め孔から凹部に嵌入させて爪部を凹部の奥端縁に係合させ
、これにより、各フレキシブルフラットケーブルの各端子をプリント配線基板の各回路パ
ターンに接近状態で対向させ、該各端子を各回路パターンに半田付けすることを特徴とす
るフレキシブルフラットケーブル接続装置。
【発明の詳細な説明】
【技術分野】
【０００１】
本発明は、例えばディスク装置（ＤＶＤレコーダ、ＤＶＤプレーヤ）などのフレキシブ
ルフラットケーブル接続装置に関し、特に、接続作業を確実簡単に行なうことができるよ
うにしたものである。
【背景技術】
【０００２】
従来、ディスク装置の一例として図９及び図１０に示すものがあり、これはフレキシブ
ルフラットケーブル接続装置を用いたＤＶＤレコーダ（またはＤＶＤプレーヤ）であって
、図９は同縦断面図、図１０は同斜視図である。
【０００３】
図９及び図１０に示すように、筐体１内にメイン基板２ａ及びＡＶ基板２ｂと称される
プリント配線基板２が配置され、該筐体１内の両基板２ａ，２ｂの側方にディスク装置本
体３が配置され、そのメイン基板２ａとＡＶ基板２ｂ及びディスク装置本体３とがフレキ
シブルフラットケーブル５によりコネクタ６を介して接続されている。
【０００４】
前記ディスク装置本体３は、ディスクＤ載置用トレイ７を前後進可能に支持するローダ
ーシャーシ８を有し、該ローダーシャーシ８内の上下動可能なトラバースシャーシ（図示
せず）にターンテーブル９と光ピックアップ（図示せず）とが搭載され、ターンテーブル
９に対向してローダーシャーシ８に架設した横桁１０の中央収納部内にクランパ１１が一
定範囲内昇降可能に配置されており、トレイ７上のディスクＤをターンテーブル９で持ち
上げて、該ターンテーブル９とクランパ１１とでディスクＤをクランプし、そのターンテ
ーブル９によりディスクＤを高速回転させ、該ディスクＤに記録されている情報を光ピッ
クアップにより読み取る。
【０００５】
上記構成によれば、フレキシブルフラットケーブル５の接続にコネクタ６が使用されて
おり、そのコネクタ６が比較的高くて製作費が高くつく。
【０００６】
コネクタ６を使用しない技術として特許文献１に記載したものがある。これは、図１１
（ａ）の分解斜視図及び図１１（ｂ）の縦断面図に示すように、プリント配線基板２の表
面に所定間隔をおいて複数の回路パターン１３が並設され、該各回路パターン１３に接近
してプリント配線基板２に横長矩形状の位置決め孔１４がフレキシブルフラットケーブル
５の配線方向ａ，ｂとは直交する横断方向ｃ，ｄに沿って貫設され、フレキシブルフラッ
トケーブル５の端部近傍に補強板１５が固着されている。
【０００７】
接続手順を説明すると、図１１（ｂ）に仮想線で示すように、フレキシブルフラットケ
ーブル５の端部を位置決め孔１４に差し込み、補強板１５をプリント配線基板２の裏面に
当接させ、フレキシブルフラットケーブル５の各端子５ａを各回路パターン１３に対して
配線方向ａ，ｂ及び横断方向ｃ，ｄに沿って位置決めする。次に、フレキシブルフラット
ケーブル５の起立状態の端部を矢印ｅ方向に折り曲げて、図１１（ｂ）に実線で示すよう
に、フレキシブルフラットケーブル５の各端子５ａを各回路パターン１３に当接させ、該
各端子５ａを各回路パターン１３に半田付け１６する。
【特許文献１】実開昭６３−１７２１７１号公報
【発明の開示】
【発明が解決しようとする課題】
【０００８】
特許文献１に記載の構成では、コネクタ６を用いていない分だけコストダウンを図るこ
とができるが、フレキシブルフラットケーブル５の端部を位置決め孔１４内に差し込むの
に手間がかかって面倒であると共に、その差し込んだフレキシブルフラットケーブル５の
起立状態の端部〔図１１（ｂ）仮想線参照〕を折り曲げて各端子５ａを各回路パターン１
３に当接させ〔図１１（ｂ）実線参照〕、その当接状態を両面接着テープや押さえ治具で
押さえ付けて半田付け１６する必要があり、その押さえ付けに両面接着テープや押さえ治
具を用いることから、作業工程数が増えて手間と時間とがかかり、作業能率が低いという
欠点がある。
【０００９】
本発明は、上記従来の欠点に鑑み、接続作業を確実簡単に行なうことができるようにし
たフレキシブルフラットケーブル接続装置を提供することを目的としている。
【課題を解決するための手段】
【００１０】
上記目的を達成するため、請求項１に記載の発明は、プリント配線基板に所定間隔をお
いて並設した複数の回路パターンにフレキシブルフラットケーブルの複数の端子を半田付
けするようにしたフレキシブルフラットケーブル接続装置であって、前記各回路パターン
に接近してプリント基板に位置決め孔が貫設され、該位置決め孔に係脱可能な係合片がフ
レキシブルフラットケーブルの端部近傍に固着されており、該係合片を位置決め孔に係合
させることよりフレキシブルフラットケーブルの各端子をプリント配線基板の各回路パタ
ーンに接近状態で対向させ、該各端子を各回路パターンに半田付けすることを特徴として
いる。
【００１１】
請求項２に記載の発明は、請求項１に記載の発明において、前記位置決め孔がフレキシ
ブルフラットケーブルの配線方向とは直交する横断方向に沿って横長矩形状に形成され、
前記係合片が、係合片本体と、該係合片本体からフレキシブルフラットケーブルの配線方
向に沿って突出する爪部とにより側面視略Ｌ字状に形成され、該係合片の横幅が位置決め
孔の横幅と同一またはわずかに小さく設定されており、その係合片を位置決め孔に嵌入さ
せて爪部を該位置決め孔の爪部対向エッジ部に係合させることにより、フレキシブルフラ
ットケーブルの各端子をプリント配線基板の各回路パターンに接近状態で対向させ、該各
端子を各回路パターンに半田付けすることを特徴としている。
【００１２】
請求項３記載の発明は、請求項２に記載の発明において、前記係合片の横幅をフレキシ
ブルフラットケーブルの横幅よりも大きく設定することにより、該係合片の両端部がフレ
キシブルフラットケーブルの両側縁よりも外方に突出されていることを特徴としている。
【００１３】
請求項４に記載の発明は、請求項３に記載の発明において、前記位置決め孔の爪部対向
エッジ部の中央に凹部が形成されると共に、該凹部の奥端縁が爪部対向エッジ部と平行に
形成され、係合片の横幅が凹部の横幅と同一またはわずかに小さく設定された小幅状フレ
キシブルフラットケーブルを有しており、係合片を位置決め孔から凹部内に嵌入させて爪
部を該凹部の奥端縁に係合させることにより、小幅状フレキシブルフラットケーブルの各
端子をプリント配線基板の各回路パターンに接近状態で対向させ、該各端子を各回路パタ
ーンに半田付けすることを特徴としている。
【００１４】
請求項５に記載の発明は、プリント配線基板に所定間隔をおいて並設した複数の回路パ
ターンにフレキシブルフラットケーブルの複数の端子を半田付けするようにしたフレキシ
ブルフラットケーブル接続装置であって、前記各回路パターンに接近してプリント基板に
フレキシブルフラットケーブルの配線方向とは直交する横断方向に沿って横長矩形状の位
置決め孔が貫設され、該位置決め孔の爪部対向エッジ部の中央に凹部が形成されると共に
、該凹部の奥端縁が爪部対向エッジ部と平行に形成され、前記位置決め孔の横幅と同一ま
たたわずかに小さい横幅の係合片を端部近傍に固着した大幅状フレキシブルフラットケー
ブルを有すると共に、前記凹部の横幅と同一またはわずかに小さい横幅の係合片を端部近
傍に固着した小幅状フレキシブルフラットケーブルを有し、前記各係合片が係合片本体と
該係合片本体からフレキシブルフラットケーブルの配線方向に沿って突出する爪部とによ
り側面視略Ｌ字状に形成され、前記各係合片の横幅を各フレキシブルフラットケーブルの
横幅よりも大きく設定することにより、該各係合片の両端部が各フレキシブルフラットケ
ーブルの両側縁よりも外方に突出されており、大幅状フレキシブルフラットケーブルの係
合片を位置決め孔に嵌入させて爪部を該位置決め孔の爪部対向エッジ部に係合させ、また
、小幅状フレキシブルフラットケーブルの係合片を位置決め孔から凹部に嵌入させて爪部
を凹部の奥端縁に係合させ、これにより、各フレキシブルフラットケーブルの各端子をプ
リント配線基板の各回路パターンに接近状態で対向させ、該各端子を各回路パターンに半
田付けすることを特徴としている。
【発明の効果】
【００１５】
請求項１に記載の発明によれば、フレキシブルフラットケーブルの接続にコネクタを使
用していないから、製作費が安くつく。また、フレキシブルフラットケーブルをプリント
配線基板に接続する際に、そのフレキシブルフラットケーブルの端部近傍に固着した係合
片をプリント配線基板の位置決め孔に係合させるだけでよく、従来のようにフレキシブル
フラットケーブルの端部を位置決め孔に差し込む必要がないから、その係合に手間がかか
らない。更に、係合片を位置決め孔に係合させるだけで、フレキシブルフラットケーブル
の端部がプリント配線基板の表面に沿わされ、そのフレキシブルフラットケーブルの各端
子がプリント配線基板の各回路パターンに接近状態で対向されるから、従来のようにフレ
キシブルフラットケーブルの端部を折り曲げて両面接着テープや押さえ治具で押さえ付け
る必要がなく、フレキシブルフラットケーブルの各端子を各回路パターンに迅速容易に半
田付けすることができ、その作業工程数が従来よりも少なくて手間と時間とがかからず、
作業能率を高めることができる。
【００１６】
請求項２に記載の発明によれば、係合片の横幅が位置決め孔の横幅と同一またはわずか
に小さく設定されているから、その係合片を位置決め孔に嵌入させるだけで、フレキシブ
ルフラットケーブルの配線方向とは直交する横断方向に沿ってそのフレキシブルフラット
ケーブルの各端子を各回路パターンに対して正確に位置決めすることができ、続いて、フ
レキシブルフラットケーブルを配線方向にスライドさせて係合片の爪部を位置決め孔の爪
部対向エッジ部に係合させるだけで、フレキシブルフラットケーブルの配線方向に対して
も各端子を各回路パターンに正確に位置決めすることができ、その各端子と各回路パター
ンとの半田付け作業を精密且つ迅速に行なうことができる。
【００１７】
請求項３に記載の発明によれば、係合片の両端部がフレキシブルフラットケーブルの両
側縁よりも外方に突出されて露出しているので、その係合片の位置決め孔に対する嵌入作
業を目視により容易に行なうことができる。
【００１８】
請求項４に記載の発明によれば、係合片を位置決め孔から凹部内に嵌入させて爪部を該
凹部の奥端縁に係合させるだけで、小幅状フレキシブルフラットケーブルを位置決め孔の
中央に位置決めすることができ、これによって、各回路パターンの数に比べて各端子の数
が少ない所謂ピン違いの場合でも、中央の各回路パターンに各端子を精密に位置決めして
半田付けすることができる。
【００１９】
請求項５に記載の発明は実施の他の形態（図６〜図８参照）に対応するものであって、
請求項１〜４に記載の発明と同等の効果を得ることができると共に、特に、大幅状フレキ
シブルフラットケーブルと小幅状フレキシブルフラットケーブルとを兼用で接続すること
ができ、使い勝手がよい。
【発明を実施するための最良の形態】
【００２０】
図１〜図５は本発明の実施の一形態であるフレキシブルフラットケーブル接続装置を設
けたＤＶＤレコーダ（またはＤＶＤプレーヤ）を示すものであって、図１は同縦断面図、
図２は同斜視図、図３（ａ）は同要部の拡大縦断面図、図３（ｂ）は同要部の拡大平面図
、図４は同要部の斜視図、図５は同要部の分解斜視図である。
【００２１】
図１〜図５に示すように、筐体１内のメイン基板２ａ及びＡＶ基板２ｂからなるプリン
ト配線基板２の適所に所定間隔をおいて複数の回路パターン１３が並設され、該各回路パ
ターン１３に接近してプリント配線基板２に位置決め孔１７が貫設され、該位置決め孔１
７に係脱可能な合成樹脂製係合片１８がフレキシブルフラットケーブル５Ａの端部近傍に
固着されている。上記以外の構成は図９〜図１１に示す構成とほぼ同じであるから、同一
部分に同一符号を付してその説明を省略する。
【００２２】
図３〜図５に示すように、位置決め孔１７が、フレキシブルフラットケーブル５Ａの配
線方向ａ，ｂとは直交する横断方向ｃ，ｄに沿って横長矩形状に形成され、係合片１８が
、係合片本体１８Ａと、該係合片本体１８Ａからフレキシブルフラットケーブル５Ａの配
線方向ａ，ｂに沿って突出する爪部１８Ｂとにより側面視略Ｌ字状に形成されている。な
お、図３（ａ）中、１９はレジスト膜であって、部分的に剥離することにより、回路パタ
ーン１３が形成される。
【００２３】
図３〜図５に示すように、係合片１８の横断方向ｃ，ｄに沿う横幅ｍ１が位置決め孔１
７の横幅ｍ２と同一またはわずかに小さく設定されると共に、係合片１８の縦幅ｋ１が位
置決め孔１７の縦幅ｋ２と同一またはわずかに小さく設定され、爪部１８Ｂとフレキシブ
ルフラットケーブル５Ａとの間の凹溝２１の幅ｔ１がプリント配線基板２の厚さｔ２と同
一またはわずかに大きく設定されている。
【００２４】
図３（ｂ）に示すように、係合片１８の横幅ｍ１をフレキシブルフラットケーブル５Ａ
の横幅ｍ３よりも大きく設定することにより、該係合片１８の両端部１８ａがフレキシブ
ルフラットケーブルの両側縁よりも所定の突出幅ｇだけ外方に突出されている。
【００２５】
接続手順を説明すると、図３（ａ）の二点鎖線及び図５に示すように、フレキシブルフ
ラットケーブル５Ａをプリント配線基板２の上方から下げることにより、図３（ａ）の一
点鎖線で示すように、係合片１８を位置決め孔１７に嵌入させて矢印ｂ方向にスライドさ
せることにより、爪部１８Ｂをその位置決め孔１７の爪部対向エッジ部１７ａに係合させ
、フレキシブルフラットケーブル５Ａの各端子５ａをプリント配線基板２の各回路パター
ン１３に接近状態で対向させ、続いて、該各端子５ａを各回路パターン１３に半田付け１
６する〔図３（ａ）実線参照〕。
【００２６】
上記構成によれば、フレキシブルフラットケーブル５Ａの接続にコネクタ６（図１０参
照）を使用していないから、製作費が安くつく。
【００２７】
また、フレキシブルフラットケーブル５Ａをプリント配線基板２に接続する際に、その
フレキシブルフラットケーブル５Ａの端部近傍に固着した係合片１８をプリント配線基板
２の位置決め孔１７に係合させるだけでよく、従来のようにフレキシブルフラットケーブ
ル５Ａの端部を位置決め孔１７に差し込む必要がないから〔図１１（ｂ）仮想線参照〕、
その係合に手間がかからない。
【００２８】
更に、係合片１８を位置決め孔１７に係合させるだけで、フレキシブルフラットケーブ
ル５Ａの端部がプリント配線基板２の表面に沿わされ、そのフレキシブルフラットケーブ
ル５Ａの各端子５ａがプリント配線基板２の各回路パターン１３に接近状態で対向される
から、従来のようにフレキシブルフラットケーブル５Ａの端部を折り曲げて両面接着テー
プや押さえ治具で押さえ付ける必要がなく〔図１１（ｂ）実線参照〕、フレキシブルフラ
ットケーブル５Ａの各端子５ａを各回路パターン１３に迅速容易に半田付け１６すること
ができ、その作業工程数が従来よりも少なくて手間と時間とがかからず、作業能率を高め
ることができる。
【００２９】
また更に、図３（ａ）（ｂ）に示すように、係合片１８の横幅ｍ１が位置決め孔１７の
横幅ｍ２と同一またはわずかに小さく設定されているから、その係合片１８を位置決め孔
１７に嵌入させるだけで、横断方向ｃ，ｄに沿ってフレキシブルフラットケーブル５Ａの
各端子５ａを各回路パターン１３に対して正確に位置決めすることができ、続いて、フレ
キシブルフラットケーブル５Ａを矢印ｂ方向にスライドさせて係合片１８の爪部１８Ｂを
位置決め孔１７の爪部対向エッジ部１７ａに係合させるだけで、配線方向ａ，ｂに沿って
フレキシブルフラットケーブル５Ａの各端子５ａを各回路パターン１３に正確に位置決め
することができ、その各端子５ａと各回路パターン１３との半田付け１６作業を精密且つ
迅速に行うことができる。
【００３０】
しかも、図３（ｂ）に示すように、係合片１８の両端部１８ａがフレキシブルフラット
ケーブル５Ａの両側縁よりも外方に所定の突出幅ｇだけ突出されて露出しているので、係
合片１８の位置決め孔１７に対する嵌入作業を目視により容易に行なうことができる。
【００３１】
図６〜図８は本発明の実施の他の形態であるフレキシブルフラットケーブル接続装置を
設けたＤＶＤレコーダ（またはＤＶＤプレーヤ）を示すものであって、図６（ａ）は同大
幅状フレキシブルフラットケーブルの接続状態を示す要部の拡大縦断面図、図６（ｂ）は
同要部の拡大平面図、図７（ａ）は同小幅状フレキシブルフラットケーブルの接続状態を
示す要部の拡大縦断面図、図７（ｂ）は同要部の拡大平面図、図８は同要部の分解斜視図
である。
【００３２】
図６〜図８に示すように、位置決め孔１７の爪部対向エッジ部１７ａの中央に凹部２０
が形成されると共に、該凹部２０の奥端縁２０ａが爪部対向エッジ部１７ａと平行に形成
されている。
【００３３】
図６に示す大幅状フレキシブルフラットケーブル５Ａは、図１〜図５に示すフレキシブ
ルフラットケーブル５Ａと同一形状であって、多数（この例では６本）の端子５ａを備え
ている。
【００３４】
図７に示す小幅状フレキシブルフラットケーブル５Ｂは、その横幅ｍ６を大幅状フレキ
シブルフラットケーブル５Ａの横幅ｍ３よりも小さく設定し、小型の係合片１８を固着し
ている点を除いて、その大幅状フレキシブルフラットケーブル５Ａと同一構造であって、
少数（この例では４本）の端子５ａを備えている。上記以外の構成は図１〜図５に示す本
発明の実施の一形態とほぼ同一であるから、同一部分に同一符号を付してその説明を省略
する。
【００３５】
接続手順を説明すると、大幅状フレキシブルフラットケーブル５Ａの場合は、図６に示
すように、係合片１８を位置決め孔１７に嵌入させて爪部１８Ｂを爪部対向エッジ部１７
ａに係合させることにより、各端子５ａをプリント配線基板２の各回路パターン１３に対
向させ、該各端子５ａを各回路パターン１３に半田付け１６する。
【００３６】
小幅状フレキシブルフラットケーブル５Ｂの場合は、図７に示すように、係合片１８を
位置決め孔１７から凹部２０内に嵌入させて爪部１８Ｂを該凹部２０の奥端縁２０ａに係
合させることにより、各端子５ａをプリント配線基板２の中央の各回路パターン１３に対
向させ、該各端子５ａを各回路パターン１３に半田付け１６する。
【００３７】
この場合、小幅状フレキシブルフラットケーブル５Ｂを位置決め孔１７の中央に位置決
めすることができ、これによって、各回路パターン１３の数（この例では６本）に比べて
各端子５ａの数（この例では４本）が少ない所謂ピン違いの場合でも、中央の４本の各回
路パターン１３に４本の各端子５ａを精密に位置決めして半田付けすることができる。
【００３８】
上記構成にれば、図１〜図５に示す本発明の実施の一形態と同等の効果を得ることがで
きると共に、特に、大幅状フレキシブルフラットケーブル５Ａと小幅状フレキシブルフラ
ットケーブル５Ｂとを兼用で接続することができ、使い勝手がよい。
【産業上の利用可能性】
【００３９】
上記実施の形態では、ＤＶＤレコーダ（またはＤＶＤプレーヤ）に設けたフレキシブル
フラットケーブル接続装置を示したが、これに限定されるわけではなく、これ以外の各種
電子機器のフレキシブルフラットケーブル接続装置にも適用される。
【図面の簡単な説明】
【００４０】
【図１】本発明の実施の一形態であるフレキシブルフラットケーブル接続装置を設けたＤＶＤレコーダ（またはＤＶＤプレーヤ）を示す縦断面図である。
【図２】同斜視図である。
【図３】（ａ）は同要部の拡大縦断面図、（ｂ）は同要部の拡大平面図である。
【図４】同要部の斜視図である。
【図５】同要部の分解斜視図である。
【図６】（ａ）は本発明の実施の他の形態であるフレキシブルフラットケーブル接続装置における大幅状フレキシブルフラットケーブルの接続状態を示す要部の拡大縦断面図、（ｂ）は同要部の拡大平面図である。
【図７】（ａ）は同小幅状フレキシブルフラットケーブルの接続状態を示す要部の拡大縦断面図、（ｂ）は同要部の拡大平面図である。
【図８】同要部の分解斜視図である。
【図９】従来の一例であるフレキシブルフラットケーブル接続装置を用いたＤＶＤレコーダ（またはＤＶＤプレーヤ）を示す縦断面図である。
【図１０】同斜視図である。
【図１１】（ａ）は従来の他の例であるフレキシブルフラットケーブル接続装置を示す分解斜視図、（ｂ）の同縦断面図である。
【符号の説明】
【００４１】
２            プリント配線基板
５Ａ          大幅状フレキシブルフラットケーブル
５Ｂ          小幅状フレキシブルフラットケーブル
１３          回路パターン
１７          位置決め孔
１７ａ        位置決め孔の爪部対向エッジ部
１８          係合片
１８Ａ        係合片本体
１８Ｂ        爪部
２０          凹部
２０ａ        凹部の奥端縁
ｍ１，ｍ４    係合片の横幅
ｍ２          位置決め孔の横幅
ｍ３，ｍ６    フレキシブルフラットケーブルの横幅
ｍ５          凹部の横幅
ａ，ｂ        配線方向
ｃ，ｄ        横断方向
【図１】
2009093932.tif 000003
【図２】
2009093932.tif 000004
【図３】
2009093932.tif 000005
【図４】
2009093932.tif 000006
【図５】
2009093932.tif 000007
【図６】
2009093932.tif 000008
【図７】
2009093932.tif 000009
【図８】
2009093932.tif 000010
【図９】
2009093932.tif 000011
【図１０】
2009093932.tif 000012
【図１１】
2009093932.tif 000013